(57)【要約】【課題】遊技機における賞球装置を小型化すること。【解決手段】遊技機１における賞球装置７は、球路３４に供給された遊技球Ｐを賞球ルートＡへ払い出し可能な凹み１６ｂを有するスプロケット１６と、球路３４に供給された遊技球Ｐを賞球ルートＡへの払い出しから球抜ルートＢへの払い出しに切り替え可能な切替部材４２とを備えている。スプロケット１６の凹み１６ｂは、遊技球Ｐを賞球ルートＡへの払い出しと、遊技球Ｐを球抜ルートＢへ払い出すときの通路とを兼ねるように形成されている。【選択図】図１１
2016220913.tif 000002
【特許請求の範囲】
【請求項１】
球路に供給された遊技球を賞球ルートへ払い出し可能な凹みを有するスプロケットと、
球路に供給された遊技球を賞球ルートへの払い出しから球抜ルートへの払い出しに切り替え可能な切替部材と、を備えている遊技機における賞球装置であって、
スプロケットの凹みは、遊技球を賞球ルートへの払い出しと、遊技球を球抜ルートへ払い出すときの通路と、を兼ねるように形成されている遊技機における賞球装置。
【請求項２】
請求項１に記載の遊技機における賞球装置であって、
スプロケットの凹み面は、遊技球を球抜ルートへスムーズに払い出すことができるように滑らかな形状となっている遊技機における賞球装置。
【発明の詳細な説明】
【技術分野】
【０００１】
本発明は、遊技機における賞球装置に関し、詳しくは、遊技者に賞球を払い出す遊技機における賞球装置に関する。
【背景技術】
【０００２】
従来、遊技場（例えば、パチンコ屋等のホール）の遊技島には、複数の遊技機（例えば、パチンコ機）が配置されている。これら遊技機で遊技された遊技球は、遊技機ごとに回収された後に遊技島の外部で洗浄されている。この洗浄された遊技球は、遊技島に戻されて各遊技機の遊技枠に組み付けられている球補給タンクに貯留されている。いわゆる、遊技球循環システムとなっている。そして、この球補給タンクに貯留された遊技球を各遊技機の遊技枠に組み付けられている賞球装置を介して賞球として遊技者に対して払い出したり、遊技機に隣接する球貸機を介して貸球として遊技者に対して払い出したりしている。ここで、下記特許文献１には、賞球装置１０７において、その内部の遊技球ｐを抜くための球抜き部材１４２が備えられている技術が開示されている（図１８参照）。そのため、遊技機を別の遊技島へ移動するとき、予め、賞球装置１０７の内部の遊技球ｐを抜くことができる。したがって、遊技球ｐが遊技場の床フロアにばら撒かれることを防止できる。
【先行技術文献】
【特許文献】
【０００３】
【特許文献１】特開２００４−５７３２８号公報
【発明の概要】
【発明が解決しようとする課題】
【０００４】
しかしながら、上述した特許文献１の技術では、賞球装置１０７の内部の遊技球ｐを抜くために球抜き部材１４２を操作すると、この操作した球抜き部材１４２が賞球装置１０７の装置本体１３０から張り出してしまうことがあった。この張り出しを防止するために、装置本体１３０を大きくすることが考案されていた。しかしながら、この考案では、賞球装置１０７そのものが大型化してしまうといった問題が発生することとなっていた
【０００５】
本発明は、このような課題を解決しようとするもので、その目的は、遊技機における賞球装置を小型化することである。
【課題を解決するための手段】
【０００６】
本発明は、上記の目的を達成するためのものであって、以下のように構成されている。
請求項１に記載の発明は、球路に供給された遊技球を賞球ルートへ払い出し可能な凹みを有するスプロケットと、球路に供給された遊技球を賞球ルートへの払い出しから球抜ルートへの払い出しに切り替え可能な切替部材と、を備えている遊技機における賞球装置である。スプロケットの凹みは、遊技球を賞球ルートへの払い出しと、遊技球を球抜ルートへ払い出すときの通路と、を兼ねるように形成されている。
【０００７】
請求項１の発明によれば、凹みの深さだけ球抜ルートを狭くしても、この球抜ルートから遊技球を払い出すことができる。したがって、従来技術のように、切替部材が装置本体から張り出すことなく、賞球装置を小型化できる。
【０００８】
また、請求項２に記載の発明は、請求項１に記載の遊技機における賞球装置であって、スプロケットの凹み面は、遊技球を球抜ルートへスムーズに払い出すことができるように滑らかな形状となっている。
【０００９】
請求項２の発明によれば、球抜ルートへ遊技球を払い出すときの詰まりが生じることを防止できる。
【図面の簡単な説明】
【００１０】
【図１】実施例に係る遊技機の正面図である。
【図２】図１の遊技機を後側から見た背面図である。
【図３】図２の賞球装置を前側から見た斜視図である。
【図４】図３の分解図である。
【図５】図４をさらに分解した分解図である。
【図６】図３を後側から見た斜視図である
【図７】図６の分解図である。
【図８】図２の賞球装置の電気的な構成を示すブロック図である。
【図９】図３の賞球装置の動作を示す模式図であり、遊技球の払い出しが行われていない状態を示している。
【図１０】図９において、遊技球が賞球ルートへ払い出されている状態を示している。
【図１１】図９において、遊技球が球抜ルートへ払い出されている状態を示している。
【図１２】賞球装置のスプロケットの変形例（変形例１）である。
【図１３】賞球装置のスプロケットの変形例（変形例２）である。
【図１４】賞球装置のスプロケットの変形例（変形例３）である。
【図１５】賞球装置のスプロケットの変形例（変形例４）である。
【図１６】賞球装置のスプロケットの変形例（変形例５）である。
【図１７】図２において、賞球装置の組み付けの向きを変えた形態を示す図である。
【図１８】従来技術における賞球装置の縦断面模式図である。
【発明を実施するための形態】
【００１１】
以下、本発明を実施するための形態を、図１〜１１を用いて説明する。なお、遊技機の例として、パチンコ機１を説明することとする。このパチンコ機１は、従来技術の説明と同様に、遊技場の遊技島（いずれも図示しない）に複数配置されている。そして、この遊技場の各パチンコ機１で遊技された遊技球Ｐは、従来技術の説明と同様に、パチンコ機１ごとに回収された後に遊技島の外部で洗浄される、いわゆる、遊技球循環システムとなっている。
【００１２】
このパチンコ機１について詳述すると、このパチンコ機１は、主として、遊技島のベースに組み付けられる外枠２と、この外枠２に対して開閉可能にヒンジ結合され遊技パネル３ａを有する遊技枠３と、この遊技枠３に対して開閉可能にヒンジ結合されるガラス枠４とから構成されている（図１〜２参照）。この遊技枠３には、従来技術で説明した球補給タンク５と、賞球装置７とが組み付けられている（図２参照）。
【００１３】
ここで、賞球装置７について詳述すると、この賞球装置７は、ケース１０と、このケース１０に組み付けられるプレート３０と、このプレート３０に組み付けられるカバー５０とから構成されている（図３〜７参照）。
【００１４】
このケース１０の内面１０ａとプレート３０の裏面３０ｂとの間には、第１の歯車１２と、この第１の歯車１２に噛み合う第２の歯車１４とがこの間を橋渡すようにそれぞれ枢着されている。また、このケース１０の内面１０ａとプレート３０の裏面３０ｂとの間には、スプロケット１６がこの間を橋渡すように枢着されている。このとき、スプロケット１６は、賞球路３６と球抜路３８との分岐の基端（根元）に枢着されている。すなわち、スプロケット１６は、賞球路３６と球抜路３８との間に位置するように枢着されている。このスプロケット１６の外周には、第２の歯車１４に噛み合う歯車１６ａと、その周方向に均等な間隔を成す３個の凹み１６ｂと、同３個の遮蔽板１６ｄとが形成されている。
【００１５】
この凹み１６ｂは、遊技球Ｐが１球だけ入り込むことができるように形成されている。また、この凹み面１６ｃは、遊技球Ｐが球抜ルートＢへスムーズに払い出されるように滑らかな形状となっている。このプレート３０の裏面３０ｂには、スプロケット１６の遮蔽板１６ｄを検出可能な第１のフォトセンサ２０が組み付けられている。また、このケース１０の内面１０ａとプレート３０の裏面３０ｂとの間には、操作レバー１８が上下にスライド可能に組み付けられている。これらケース１０とプレート３０とは、４本のビスＢ１、Ｂ２、Ｂ３、Ｂ４を介して組み付けられている。
【００１６】
また、プレート３０の表面３０ａには、球路３４と、この球路３４が２股に分かれた賞球路３６と球抜路３８とが形成されている。なお、上述したスプロケット１６の凹み１６ｂは、遊技球Ｐを賞球ルートＡへの払い出しと、遊技球Ｐを球抜ルートＢへ払い出すときの通路とを兼ねるように形成されている（図１１参照）。すなわち、この図１１からも明らかなように、球抜ルートＢは、凹み１６ｂと球抜路３８とから形成されている。
【００１７】
また、このプレート３０の表面３０ａには、ビスＢ５、Ｂ６を介してステッピングモータ４０が組み付けられている。このステッピングモータ４０の駆動軸（図示しない）は、プレート３０の厚みを貫通するように形成されている。この駆動軸の先端には、駆動歯車４０ａが固着されている。この駆動歯車４０ａは、第１の歯車１２に噛み合い可能となっている。そのため、このステッピングモータ４０を駆動させると、第１の歯車１２と第２の歯車１４とを介してスプロケット１６を回転させることができる。
【００１８】
また、このプレート３０の表面３０ａとカバー５０の内面５０ａとの間には、この間を橋渡すように切替片４２が枢着されている。この切替片４２に形成されているピン４２ａは、操作レバー１８に形成されているＬ字状の溝１８ａに嵌り込んでいる。これにより、操作レバー１８と切替片４２とが機械的に連結するため、この操作レバー１８を上下にスライドさせると、切替片４２を開閉させることができる。
【００１９】
ここで言う切替片４２の開とは、球路３４に供給された遊技球Ｐを球抜ルートＢへ払い出すことができる状態のことである。一方、切替片４２の閉とは、球路３４に供給された遊技球Ｐを賞球ルートＡへ払い出すことができる状態のことである。また、このプレート３０の表面３０ａとカバー５０の内面５０ａとの間には、この間を橋渡すように略コ字状の第２のフォトセンサ４４が組み付けられている。これにより、賞球路３６を通過する遊技球Ｐを検出できる。
【００２０】
これらプレート３０とカバー５０とは、３本のビスＢ６、Ｂ７、Ｂ８を介して組み付けられている。なお、このビスＢ６は、既に説明したように、ステッピングモータ４０を組み付けているものでもあるため、これらプレート３０とカバー５０との組み付けに使用しているだけでなく、このステッピングモータ４０の組み付けにも使用していることとなる。すなわち、ステッピングモータ４０は、ビスＢ６に共締めされている。
【００２１】
次に、上述した賞球装置７の電気的な構成を説明する（図８参照）。遊技パネル３ａの後側には、制御装置６０が組み付けられている。この制御装置６０には、第１のフォトセンサ２０と、ステッピングモータ４０と、第２のフォトセンサ４４とが電気的に接続されている。これにより、制御装置６０からの指令に基づいてステッピングモータ４０を駆動させることができるため、上述したようにスプロケット１６を回転させることができる。なお、第１のフォトセンサ２０がスプロケット１６の３個の遮蔽板１６ｄをそれぞれ検出できるため、制御装置６０は、１／３回転単位でスプロケット１６を回転させることができる。
【００２２】
そのため、スプロケット１６を１／３回転させると、賞球装置７は賞球ルートＡへ遊技球Ｐを１球だけ払い出すことができる。これと同様に、スプロケット１６を２／３回転させると、賞球装置７は賞球ルートＡへ遊技球Ｐを２球だけ払い出すことができる。これと同様に、スプロケット１６を１回転させると、賞球装置７は賞球ルートＡへ遊技球Ｐを３球だけ払い出すことができる。以降、これらと同様に、スプロケット１６を１／３×ｎ回転させると、賞球装置７は賞球ルートＡへ遊技球Ｐをｎ球だけ払い出すことができる。したがって、賞球装置７は、所望する数量だけ遊技球Ｐを賞球路３６へ払い出すことができる。
【００２３】
なお、制御装置６０は、ステッピングモータ４０を駆動させる指令（払い出す遊技球Ｐの数量）と、第２のフォトセンサ４４が検出した遊技球Ｐの数量とを比較して、この比較が一致しているか否かの判定を実施している。この判定が不一致の場合、遊技球Ｐの球詰まり等が考えられる。したがって、制御装置６０は遊技者や遊技場のスタッフに対してエラーを発信している。賞球装置７は、このように構成されている。
【００２４】
なお、図２に戻って、球補給タンク５の出口側と賞球装置７の入口側（球路３４）とは、第１の球樋６を介して接続されている。これにより、球補給タンク５に貯留されている遊技球Ｐを賞球装置７の球路３４に供給できる。また、賞球装置７の出口側（賞球路３６、球抜路３８）には、第２の球樋８が接続されている。
【００２５】
この第２の球樋８には、２本の球路（第１の球路８ａ、第２の球路８ｂ）が形成されている。この第１の球路８ａは、その入口側が賞球路３６に連通すると共に、その出口側が上皿（図示しない）に連通している。また、この第２の球路８ｂは、その入口側が球抜路３８に連通すると共に、その出口側が開放状態となっている。
【００２６】
続いて、図９〜１１を参照して、上述した賞球装置７の動作を説明する。図９に示すように、通常時（遊技者がパチンコ機１を遊技しているとき、遊技者がパチンコ機１を遊技可能なとき）、賞球装置７の球路３４には、第１の球樋６を介して遊技球Ｐが自重により供給されている。このとき、操作レバー１８は、切替片４２が閉の状態を成すように、下側に設定されている。そのため、賞球装置７は、制御装置６０からの指令に基づいて、所望する数量だけ遊技球Ｐを賞球ルートＡへ払い出すことができる（図１０参照）。したがって、賞球ルートＡから払い出された遊技球Ｐを上皿に供給できる。すなわち、遊技球Ｐを賞球として遊技者に対して払い出すことができる。
【００２７】
この通常時から、パチンコ機１を別の遊技島へ移動するとき、操作レバー１８を上側にスライドさせる。すると、切替片４２が開の状態を成すため、球補給タンク５、第１の球樋６、球路３４の全ての遊技球Ｐを球抜ルートＢへ払い出すことができる（図１１参照）。そのため、球抜ルートＢから払い出された遊技球Ｐをドル箱等（図示しない）に受け止めることができる。したがって、遊技球Ｐが遊技場の床フロアにばら撒かれることを防止できる。
【００２８】
本発明の実施例に係る賞球装置７は、上述したように構成されている。この構成によれば、球抜ルートＢは、凹み１６ｂと球抜路３８とから形成されている。そのため、凹み１６ｂの深さだけ球抜路３８を狭くしても、球抜ルートＢから遊技球Ｐを払い出すことができる。したがって、従来技術のように、切替片４２が賞球装置７本体から張り出すことなく、賞球装置７を小型化できる。
【００２９】
また、この構成によれば、スプロケット１６の凹み面１６ｃは、遊技球Ｐを球抜ルートＢへスムーズに払い出すことができるように滑らかな形状となっている。そのため、球抜ルートＢへ遊技球Ｐを払い出すときの詰まりが生じることを防止できる。
【００３０】
上述した内容は、あくまでも本発明の一実施の形態に関するものであって、本発明が上記内容に限定されることを意味するものではない。
【００３１】
実施例では、スプロケット１６の外周には、その周方向に均等な間隔を成す凹み１６ｂが３個形成されている形態を説明した。しかし、これに限定されるものでなく、凹み１６ｂの数は幾つであっても構わない。
【００３２】
また、スプロケット１６の凹み１６ｂの形状は、図９に示される形状に限定されるものでなく、例えば、図１２〜１６（変形例１〜５）に示される形状であっても構わない。
【００３３】
また、図１７に示すように、遊技枠３に対する賞球装置７の組み付けを９０度回転させてもよい。
【符号の説明】
【００３４】
１      パチンコ機（遊技機）
７      賞球装置
１６    スプロケット
１６ｂ  凹み
１６ｃ  凹み面
３４    球路
４２    切替片（切替部材）
Ａ      賞球ルート
Ｂ      球抜ルート
Ｐ      遊技球
【図１】
2016220913.tif 000003
【図２】
2016220913.tif 000004
【図３】
2016220913.tif 000005
【図４】
2016220913.tif 000006
【図５】
2016220913.tif 000007
【図６】
2016220913.tif 000008
【図７】
2016220913.tif 000009
【図８】
2016220913.tif 000010
【図９】
2016220913.tif 000011
【図１０】
2016220913.tif 000012
【図１１】
2016220913.tif 000013
【図１２】
2016220913.tif 000014
【図１３】
2016220913.tif 000015
【図１４】
2016220913.tif 000016
【図１５】
2016220913.tif 000017
【図１６】
2016220913.tif 000018
【図１７】
2016220913.tif 000019
【図１８】
2016220913.tif 000020